(57)【特許請求の範囲】
【請求項１】
計器用変流器二次側配線接続状態の確認装置であって、電力系統主回路に設けられた計器用変流器と、前記計器用変流器の出力を計測および制御する制御盤と、前記制御盤の端子部間とが外線ケーブルで接続されて閉回路を形成し、前記端子部には電流発生器に設けられた電流印加プローブが接続されているとともに、前記外線ケーブルには第一クランプメータが、前記制御盤の内部配線には第二クランプメータが設けられており、前記第一クランプメータは前記電流発生器の出力する前記外線ケーブルへの印加電流ＩＡを測定し、前記第二クランプメータは前記内部配線への印加電流ＩＢを測定し、前記印加電流ＩＡ、ＩＢのそれぞれの値を前記電流発生器に併設された記憶装置で記憶するとともに、前記印加電流ＩＡ、ＩＢが共に、あるいはいずれかが零の場合に、前記電流発生器に設けられた表示部でランプ表示が行われる計器用変流器二次側配線接続状態の確認装置。
【請求項２】
前記電流発生器は、直流電流発生器あるいは交流電流発生器のいずれかとする請求項１に記載の計器用変流器二次側配線接続状態の確認装置。
【請求項３】
前記記憶装置に代替して、前記印加電流ＩＡ、ＩＢのそれぞれの値は、前記電流発生器に設けられた印字機能によって印字出力される請求項１または請求項２に記載の計器用変流器二次側配線接続状態の確認装置。
【発明の詳細な説明】
【技術分野】
【０００１】
この発明は、電力系統の受変電設備等において、主回路電流を検出するために用いられる計器用変流器（以下、ＣＴと略す）の二次側配線の接続状態を確認するための装置に関するものであり、特にＣＴの二次出力である電流を制御盤に取り込み、制御盤にて計測、制御、保護等を行うシステムにおける両者の接続状態の確認装置に係るものである。
【背景技術】
【０００２】
従来、計器用変流器の二次側配線を外すことなく、１人の作業者で良否判定作業を行うことができるキックテスト試験装置として、直流電流発生器の両側端子を、ＣＴが設けられている部分の上下に接続し、スイッチをＯＮ、ＯＦＦしてＣＴ設置相の局部に二次側直流電流を誘起し、この二次側直流電流の極性が正の場合のパルス信号で表示・アラーム指令を出力して二次側配線が正しく行われていることを作業者に知らせる技術が示されている（例えば、特許文献１参照）。
【先行技術文献】
【特許文献】
【０００３】
【特許文献１】特開平１０−１０１８７号公報
【発明の概要】
【発明が解決しようとする課題】
【０００４】
しかしながら、上記特許文献１に示された技術は、直流電流発生器をＣＴ一次側に配置して電流を流すものであり、ＣＴの二次側配線の接続状態を確認するには、ＣＴの設置場所によっては「はしご」等の足場を設けて直流電流発生器を配置したり、また、ＣＴに接続される制御盤を分解する等、大掛かりな作業が必要とされる。また、その場合に仮にＣＴ二次側から電流を流し接続状態を確認するにしても、ＣＴ二次側の外線ケーブルを解線する必要があるため、試験後に配線を復旧するのを怠り、トラブルが発生する可能性があるという問題点がある。
【０００５】
この発明は、上記のような課題を解決するためになされたものであり、ＣＴと制御盤間のケーブル接続を解線することなく、ＣＴ二次側配線の接続状態を、ＣＴ二次側から確認可能なＣＴ二次側配線接続状態確認装置を提供することを目的とする。
【課題を解決するための手段】
【０００６】
この発明の計器用変流器二次側配線接続状態の確認装置は、計器用変流器二次側配線接続状態の確認装置であって、電力系統主回路に設けられた計器用変流器と、前記計器用変流器の出力を計測および制御する制御盤と、前記制御盤の端子部間とが外線ケーブルで接続されて閉回路を形成し、前記端子部には電流発生器に設けられた電流印加プローブが接続されているとともに、前記外線ケーブルには第一クランプメータが、前記制御盤の内部配線には第二クランプメータが設けられており、前記第一クランプメータは前記電流発生器の出力する前記外線ケーブルへの印加電流ＩＡを測定し、前記第二クランプメータは前記内部配線への印加電流ＩＢを測定し、前記印加電流ＩＡ、ＩＢのそれぞれの値を前記電流発生器に併設された記憶装置で記憶するとともに、前記印加電流ＩＡ、ＩＢが共に、あるいはいずれかが零の場合に、前記電流発生器に設けられた表示部でランプ表示が行われるものである。
【発明の効果】
【０００７】
この発明は、上記のような構成を採用しているので、サイトにおけるＣＴの設置場所に関わらず、制御盤設置場所において確認測定が行えるので、従来の如く、足場の設置等大掛かりな作業が不要となり、安全でかつ作業時間が短縮される効果がある。また、ＣＴ側および制御盤側（内部）の接続の個別確認を１回の測定にて行うことができ、さらに機器間の外線ケーブルを解線することなく電流の印加、測定を可能としたので、作業時間が短縮され、安価でかつ操作性の高い確認装置となるという効果を奏する。
【図面の簡単な説明】
【０００８】
【図１】実施の形態１によるＣＴ二次側配線接続状態の確認装置を示す模式図である。
【発明を実施するための形態】
【０００９】
実施の形態１．
以下、この発明の実施の形態１による計器用変流器二次側配線接続状態の確認装置５０（以下、確認装置５０と略す）を図に基づいて説明する。図１において確認装置５０は、後述のＣＴ１、直流電流発生器３、第一クランプメータ４、第二クランプメータ５、電流印加プローブ７と記憶装置８とから構成されている。ＣＴ１は電力系統主回路１０に設置されている。制御盤２に設けられた端子部９Ａ、９Ｂと前記ＣＴ１とは、外線ケーブル６で接続されており、制御盤２内は内部配線６Ａが設けられている。
【００１０】
直流電流発生器３は、接続状態を確認する為の点検用直流電流を出力するものであり、電流印加プローブ７で前記端子部９Ａ、９Ｂに電流を印加する。第一クランプメータ４は、ＣＴ１の二次側である外線ケーブル６の印加電流ＩＡを測定するものであり、第二クランプメータ５は、制御盤２側（内部）の印加電流ＩＢを測定するものである。
【００１１】
前記直流電流発生器３には、乾電池３Ａ、この乾電池３Ａの出力をＯＮ、ＯＦＦするスイッチ３Ｂ、電流計３Ｃ、ＬＥＤランプ等による表示部３Ｄが設けられているとともに、この装置によるＣＴ二次側の配線接続状態を確認後の結果を記憶する記憶装置８が直流電流発生器３に併設して接続されている。
【００１２】
次に、動作について説明する。図１に示すように、受変電設備の電力系統主回路１０にＣＴ１が設置されており、このＣＴ１と制御盤２の端子部９Ａ、９Ｂ間は外線ケーブル６により接続されて閉回路が形成されている。電流印加プローブ７が制御盤２の端子部９Ａ、９Ｂに接続されており、第一クランプメータ４がＣＴ１側である前記外線ケーブル６に通して配置されるとともに、第二クランプメータ５が制御盤２側の内部配線６Ａに通して配置される。
【００１３】
直流電流発生器３の乾電池３Ａの出力は、前記電流印加プローブ７を介して、端子部９Ａ、９Ｂに供給される。上記状態は外線ケーブル６や制御盤２の内部配線６Ａの解線は一切必要なく、また、ＣＴ１が高所や遠方に設置されている場合であっても、制御盤２の近傍に直流電流発生器３を配置するので、第一クランプメータ４、第二クランプメータ５の取り付け作業は容易であり、１名の試験技術員によって準備が安全にかつ短時間に行える。
【００１４】
次に、スイッチ３ＢをＯＮし乾電池３Ａからの点検用電流が電流印加プローブ７を介して端子部９Ａ、９Ｂに流れる。この際、直流電流発生器３から端子部９Ａ、第一クランプメータ４、ＣＴ１、端子部９Ｂを通り、直流電流発生器３に帰るＣＴ１の二次側に流れる電流をＩＡとし、端子部９Ａ、第二クランプメータ５、端子部９Ｂを通る制御盤２側に流れる電流をＩＢをそれぞれ電流計３Ｃで測定する。この測定された電流値は測定日時とともに例えばパソコン等の記憶装置８にて記憶される。
【００１５】
前記ＩＡが零ならば、ＣＴ１側の外線ケーブル６の接続に断線を含む不具合があると判断し、前記ＩＢが零であると、制御盤２側の内部配線６Ａに断線を含む不具合があると判断し、かつＩＡ、ＩＢ共に零であるならば、外線ケーブル６、内部配線６Ａ共に断線を含む接続不具合があるとして、以上のそれぞれの場合に表示部３Ｄにて例えば、Ｇ（緑）、Ｒ（赤）のランプ表示が行われ、試験技術員は容易に接続状態を確認できる。
【００１６】
上記は、確認装置５０が受変電設備に新規にＣＴ１、制御盤２が設置、配線された場合について説明した。この場合、外線ケーブル６、内部配線６Ａ共に健全状態で接続されているとすると、前記電流ＩＡ、ＩＢは例えば１．５Ａの値を示す。この電流値１．５Ａを記憶装置８は日時とともに記憶する。次に、運転開始後の定期点検作業で確認装置５０によって接続状態が点検、確認され、前記電流ＩＡの電流値が０．３Ａと計測された場合、記憶装置８に格納されている前回（新規時）の電流値１．５Ａと比較して、端子部９Ａ、９Ｂを含む諸分野に何らかの異常が発生していることを、点検技術員は容易に認識することができる。同様に、電流ＩＢについても異常発生の有無が認識できる。
【００１７】
尚、印加する電流源として直流電流発生器３を示したが、直流に限らず商用周波数の交流電流発生器や、パルス発生器であってもよい。また、ＣＴ１を１台設置の例を示したが、電力主回路の相数分設けてもよい。また、記憶装置８をパソコンを外部に接続する例を示したが、必ずしもこれに限らず、直流電流発生器３に印字機能を設け、確認装置５０による接続状態確認時の日時、電流計３Ｃの示す電流値を印字機能で印字し、プラント施設の管理部内にて保管、後日点検時の接続状態変化有無の参考データとしてもよい。
【００１８】
尚、本発明は、その発明の範囲内において、実施の形態を適宜、変形、省略することが可能である。
【符号の説明】
【００１９】
１  ＣＴ、２  制御盤、３  直流電流発生器、３Ａ  乾電池、３Ｂ  スイッチ、
３Ｃ  電流計、４  第一クランプメータ、５  第二クランプメータ、６  外線ケーブル、６Ａ  内部配線、７  電流印加プローブ、８  記憶装置、９Ａ，９Ｂ  端子部、
１０  電力系統主回路、５０  確認装置。
【図１】
0006611668.tif 000002